(57)【要約】【課題】電気光学装置において、粉塵の投影の問題を解決して高品質な画像を表示するとともに、その内部に熱を蓄積させない。【解決手段】電気光学装置は、液晶層（５０）を挟持してなるＴＦＴアレイ基板（１０）及び対向基板（２０）を備えてなり、これらの基板のうち少なくとも一方における、前記液晶層に対向しない側に透明ＺｎＳからなる防塵用基板（４９１、４９２）を備えてなる。【選択図】      図３
2004325572.tif 000002
【特許請求の範囲】
【請求項１】
電気光学物質を挟持してなる一対の基板と、該一対の基板のうちの一方の基板上に、表示用電極と、該表示用電極にスイッチング素子を介して又は直接に接続された配線とを備えた電気光学装置であって、
該電気光学装置は、前記一対の基板のうちの少なくとも一方における、前記電気光学物質に対向しない側にＺｎＳからなる透明基板を備えてなることを特徴とする電気光学装置。
【請求項２】
前記一対の基板のうちの一方における、前記電気光学物質に対向しない側に前記透明基板が備えられており、
前記一対の基板のうちの他方における前記電気光学物質に対向しない側には前記ＺｎＳを含まない第２の透明基板が更に備えられていることを特徴とする請求項１に記載の電気光学装置。
【請求項３】
前記一対の基板のうちの少なくとも一方における、前記電気光学物質に対向しない側に偏光素子が更に備えられていることを特徴とする請求項１又は２に記載の電気光学装置。
【請求項４】
前記偏光素子にＺｎＳからなる透明基板が更に備えられていることを特徴とする請求項３に記載の電気光学装置。
【請求項５】
前記透明基板における、少なくとも一方の面にＡＲ（Ａｎｔｉ  Ｒｅｆｌｅｃｔｉｏｎ）コートが更に備えられていることを特徴とする請求項１乃至４のいずれか一項に記載の電気光学装置。
【請求項６】
前記ＡＲコートは、
前記透明基板の一方の面に配置される第１ＡＲコートと、その他面に配置される第２ＡＲコートとを含み、これら第１ＡＲコート及び第２ＡＲコートはそれぞれ異なった構造を有していることを特徴とする請求項５に記載の電気光学装置。
【請求項７】
請求項１乃至６のいずれか一項に記載の電気光学装置を実装ケース内に収納する実装ケース入り電気光学装置であって、
前記実装ケースは、
前記電気光学装置の一面に対向するように配置されるプレートと、
該プレート及び前記電気光学装置を覆うように配置されるカバーと
を備えたことを特徴とする実装ケース入り電気光学装置。
【請求項８】
前記プレート及び前記カバーの少なくとも一方は、前記透明基板と相互に接触していることを特徴とする請求項７に記載の実装ケース入り電気光学装置。
【請求項９】
前記カバーは、その表面積を増大させる表面積増大手段を備えてなることを特徴とする請求項７又は８に記載の実装ケース入り電気光学装置。
【請求項１０】
請求項１乃至６のいずれか一項に記載の電気光学装置又は請求項７乃至９のいずれか一項に記載の実装ケース入り電気光学装置と、
光源と、
前記光源より発せられた投射光を前記電気光学装置に導く光学系と、
前記電気光学装置から出射される投射光を投射する投射光学系と
を備えたことを特徴とする投射型表示装置。
【発明の詳細な説明】
【０００１】
【発明の属する技術分野】
本発明は、例えばアクティブマトリクス駆動の液晶装置、電子ペーパなどの電気泳動装置、ＥＬ（Ｅｌｅｃｔｒｏ−Ｌｕｍｉｎｅｓｃｅｎｃｅ）表示装置等の電気光学装置の技術分野に属する。また、本発明は、このような電気光学装置を具備してなる投射型表示装置の技術分野にも属する。
【０００２】
【背景技術】
一般に、液晶パネルを液晶プロジェクタにおけるライトバルブとして用いる場合、スクリーン上に拡大投射を行うために、液晶パネルには、例えばメタルハライドランプ等の光源からの強力な光源光が集光された状態で入射する。このように強力な光源光が入射すると、液晶パネルの温度は上昇し、液晶パネル内において一対の透明基板間に挟持されている液晶の温度も上昇して、該液晶の特性劣化を招く。また特に光源光にむらがあった場合には、部分的に液晶パネルが加熱されて所謂ホットスポットが発生して、液晶の透過率のムラができて投射画像の画質が劣化する。このような温度上昇は、光源と液晶パネルとの間に熱線カットフィルタを配置して不要な赤外線の入射を低減すること等により多少は緩和されるが、高画質化を図るためには、より効率的な温度上昇の防止対策が必要である。
【０００３】
このような問題点に対処するため、従来においても、液晶パネルの光入射側に位置する基板に遮光膜を設けること、液晶パネルを実装あるいは収納してなる実装ケースを光反射性材料から構成すること、等といった各種対策が施されている。これらによれば、液晶パネルの温度上昇を相応に抑制することが可能となる。すなわち、遮光膜及び光反射性材料からなる実装ケースによれば、液晶パネルに対する光源光の過剰な入射を抑えることで、この光が該液晶パネル内で熱に変換される作用を抑制することができる。
【０００４】
【特許文献１】
特開平９−１１３９０６号公報
【特許文献２】
特開平１１−２３１２７７号公報
【特許文献３】
特開平１１−２４９１２０号公報
【特許文献４】
特開２０００−２８４７００号公報
【０００５】
【発明が解決しようとする課題】
しかしながら、従来における液晶パネルの昇温防止対策には次のような問題点がある。すなわち、光源光からの強力な光が投射される限り、液晶パネルの温度上昇の問題は常に顕在化するおそれがあるから、更なる高画質化等を図るためには、上記各種の対策に代えて又は加えて、より効率的な温度上昇の防止対策が要求されているという点である。
【０００６】
また、上述の昇温防止対策については、以下のような難点がある。すなわち、遮光膜及び実装ケースによる光反射対策では、それらの面積を増大させれば反射光量が増大するから、たしかに液晶パネルの温度上昇の防止を相応に達成することができると考えられるものの、反射光量をむやみに増大させると、実装ケース入り液晶パネルを収納するハウジング内の迷光を増加させることとなって、画像の品質に悪影響を及ぼすことが考えられる。また、遮光膜については、その面積を広げれば広げるほど、液晶パネルに本来入射・透過されるべき光源光の量が減ることになるから、画像が暗くなってしまうことが考えられる。このように、上記の対策は、抜本的に問題を解決するものとはいえない点にも問題がある。
【０００７】
ところで、上述のように、電気光学装置をライトバルブとして用いた投射型表示装置においては、前記の蓄熱に関する問題とは別に、次のような問題点もあった。すなわち、上述の投射型表示装置では、ライトバルブの表面にごみや埃等（以下、単に「粉塵」という。）が付着すると、映写幕上にその粉塵の像もまた投影されてしまうことで、画像の品質を低下させる可能性があったのである。これは、光源光が、ライトバルブの表面近傍にその焦点を結ぶように集光されるためである。これにより、ライトバルブ表面に付着した粉塵は、拡大投影されることとなって画像上に映り込み、その品質を低下させるのである。
【０００８】
いずれにせよ、投射型表示装置においては、比較的強力な光源光を集光して電気光学装置に照射することにより、上述のような大きな二つの問題点を抱えているということができる。
【０００９】
本発明は、上記問題点に鑑みてなされたものであり、粉塵の投影の問題を解決して高品質な画像を表示することが可能であるとともに、その内部に熱を蓄積させるようなことなく安定的な動作が可能な電気光学装置を提供することを課題とする。また、本発明は、かかる電気光学装置を具備してなる実装ケース入り電気光学装置及び投射型表示装置を提供することをも課題とする。
【００１０】
【課題を解決するための手段】
本発明の電気光学装置は、上記課題を解決するため、電気光学物質を挟持してなる一対の基板と、該一対の基板のうちの一方の基板上に、表示用電極と、該表示用電極にスイッチング素子を介して又は直接に接続された配線とを備えた電気光学装置であって、該電気光学装置は、前記一対の基板のうちの少なくとも一方における、前記電気光学物質に対向しない側にＺｎＳからなる透明基板を備えてなる。
【００１１】
本発明の電気光学装置によれば、一対の基板上に形成された表示用電極に配線を通じて適当な電圧を印加することで、電気光学物質に対して電界を印加することができ、その状態を変化させることが可能となる。この際、前記一対の基板のうちの少なくとも一方における、前記電気光学物質に対向しない側から、他方におけるそれへと抜けるような光を投射することで、画像を表示することができる。これは、電気光学物質の状態の変化に応じて透過率が変じられていることにより、それに応じた階調表示が可能であることによる。
【００１２】
そして、本発明においては特に、前記一対の基板の少なくとも一方における電気光学物質に対向しない側に、ＺｎＳからなる透明基板を備えている（以下、このように「一対の基板」のどちらかに設けられる透明基板を、「防塵用基板」ということがある。）。これにより、まず、背景技術の項で述べたような粉塵の投影の問題を有効に解決することができる。というのも、該防塵用基板が設けられることにより、基板上に直接に粉塵が付着するようなことを防止するとともに、該防塵用基板上に仮に粉塵が付着したとしても、該防塵用基板が所定の厚さを有することにより、前記基板に向けて照射された光の焦点が、前記粉塵の付着位置において結ばれるわけではないからである（デフォーカス効果）。したがって、本発明によれば、画像上に粉塵の像が投影されるというような事態を未然に回避することができ、これにより、より高品質な画像を表示することが可能となる。
【００１３】
また、本発明では更に、防塵用基板が比較的熱伝導率の大きいＺｎＳを含んでなるから、一対の基板からの熱の吸い上げを効率的に行うこと、換言すれば、該防塵用基板を有効なヒートシンクとして機能させることができる。したがって、電気光学装置内部における過剰な熱蓄積を未然に防止することも可能となる。また、ＺｎＳは、一般に赤外線の透過率が大きい材料であるから、該赤外線が防塵用基板に吸収されることによって発熱が生じるということは殆ど生じ得ない。これによると、防塵用基板が、ヒートシンクとしてより有効に機能することになるから、電気光学装置の冷却をより確実になすことができる。
【００１４】
以上のように、本発明によれば、粉塵の投影の問題を解決して高品質な画像を表示することが可能であるとともに、その内部に熱を蓄積させるようなことなく安定的な動作が可能な電気光学装置を提供することができる。
【００１５】
なお、本発明にいう「ＺｎＳ」は「透明基板」を構成するから、以下では、この「ＺｎＳ」を特に、「透明ＺｎＳ」と呼ぶことがある。ここに「『透明』ＺｎＳ」とは、例えばＺｎＳをＣＶＤ（Ｃｈｅｍｉｃａｌ  Ｖａｐｏｒ  Ｄｅｐｏｓｉｔｉｏｎ）法等によって作成した後、これを焼成すること等によって製造することができる。この場合、焼成前のＺｎＳは「透明」ではないから、光の透過が予定される電気光学装置においては、一般に好適には用いることができない。しかるに、焼成を行うことによって、ＺｎＳを透明にすることができるから、光の透過が予定される電気光学装置においても、好適に用いることができる。
【００１６】
また、本発明において、「一対の基板のうちの少なくとも一方における、前記電気光学物質に対向しない側」に防塵用基板が備えられるというのは、該防塵用基板を、電気光学装置の光入射側、光出射側及びその両側に配置する三つのパターンを含んでいる。この場合、どのパターンによっても、電気光学装置の冷却効果は相応に引き出されるが、本願発明者らの研究によると、電気光学装置の放熱性を最も高めるためには、防塵用基板を電気光学装置の光入射側及び光出射側の双方（即ち、両側）に設ける態様が最も好ましい。加えて、仮に、光入射側及び光出射側のどちらか一方のみに防塵用基板を設けることを前提とするのであれば、一般的には、該防塵用基板は、光入射側に設ける場合の方が、その逆の場合よりも好ましい。
【００１７】
さらに、発明にいう「表示用電極」としては、一対の基板のうちの一方の基板上においては、マトリクス状に配列された画素電極が、その他方の基板上においては、その全面に形成された対向電極（共通電極）が、それぞれ該当すると考えることができ、「スイッチング素子」とは、ＴＦＴ、あるいは薄膜ダイオード（ＴＦＤ）が該当すると考えることができる。これによれば、アクティブマトリクス駆動が可能となる。或いは、「表示用電極」の別の例としては、一対の基板それぞれの上に形成され、相互に交差する関係にあるストライプ状の電極が、それに該当すると考えることもできる。これによれば、パッシブマトリクス駆動が可能となる。
【００１８】
本発明の電気光学装置の一態様では、前記一対の基板のうちの一方における、前記電気光学物質に対向しない側に前記透明基板が備えられており、前記一対の基板のうちの他方における前記電気光学物質に対向しない側には前記ＺｎＳを含まない第２の透明基板が更に備えられている。
【００１９】
この態様によれば、電気光学装置の両側には、それぞれ異なる防塵用基板が備えられることになる。これにより、本態様によれば、前記防塵用基板が備えられていることから、前述したような電気光学装置の冷却効果をそれ相応に引き出すことが可能であると同時に、比較的高価な透明ＺｎＳをむやみに使用することを控えて、当該電気光学装置全体の低コスト化を図ることができる。
ちなみに、本態様のように、一つの電気光学装置について異なる構成となる防塵用基板を備える場合においては、第２の透明基板の熱伝導率等その他の特性にもよるが、本発明に係る透明ＺｎＳを含んでなる防塵用基板は、電気光学装置の光入射側に配置される方が好ましい。
【００２０】
本発明の電気光学装置の他の態様では、前記一対の基板のうちの少なくとも一方における、前記電気光学物質に対向しない側に偏光素子が更に備えられている。
【００２１】
この態様によれば、電気光学物質に入射させる光、或いは該電気光学物質から出射した光を適当な偏光状態にすることが可能となる。ちなみに、この偏光素子は、電気光学装置の位置する場所からみて、前記防塵用基板よりも一般に「外側」に設けられることが通常である。言い換えると、前記基板を基準とすると、その次に防塵用基板が、更にその次に偏光素子が、というように各要素が配置されるのが通常の形態になる。
【００２２】
そして、本態様では特に、この偏光素子に加えて、前述の透明ＺｎＳからなる防塵用基板が備えられていることにより、次のような作用効果を得ることができる。すなわち、電気光学装置に防塵用基板を設けるにしても、該防塵用基板を、仮に水晶、サファイア等から構成する場合においては、これらは単結晶材料であるがため、偏光素子を通過して偏光した光に関して屈折率異方性がでてくる。
【００２３】
しかるに、本態様では、防塵用基板に透明ＺｎＳが利用されることにより、通常は多結晶構造となり、偏光をかけた場合にも、前述のような屈折率異方性が顕在化することがない。よって、本態様によれば、より高品質な画像を表示することが可能となるのである。
【００２４】
この態様では、前記偏光素子にＺｎＳからなる透明基板が更に備えられているようにしてもよい。
【００２５】
このような構成によれば、偏光素子において発生する熱が、比較的熱伝導率の大きいＺｎＳからなる透明基板（以下、このように「偏光素子」に設けられる透明基板を、「昇温防止基板」ということがある。）に吸い上げられることにより、該偏光素子の冷却を好適に行うことができる。
【００２６】
なお、本態様に係る偏光素子に加えて、λ／４板、λ／２板、広視野角等の光学的補償フィルム等の光学補償素子を更に備え、該光学補償素子についてもＺｎＳからなる透明基板が備えられる形態としてもよい。
【００２７】
本発明の電気光学装置の他の態様では、前記透明基板における、少なくとも一方の面にＡＲ（Ａｎｔｉ  Ｒｅｆｌｅｃｔｉｏｎ）コートが更に備えられている。
【００２８】
この態様によれば、透明ＺｎＳの屈折率が２．２程度と比較的大きいことから、防塵用基板（或いは、昇温防止基板。以下同じ。）に入射する光、或いは該防塵用基板から出射する光は、その界面において殆ど反射してしまうおそれが大きい。しかるに、本態様においては、防塵用基板の少なくとも一方の面にＡＲコートが備えられていることにより、前記のような光の反射の生じることを未然に防止することができる。したがって、本態様によれば、電気光学装置等を透過する光の利用効率を高めることができ、より明るい画像の表示等が可能となるなど、より高品質の画像表示に大きく資する。
【００２９】
なお、本態様にいう「透明基板」には、前記の第２の透明基板も含まれる。ただし、前記第２の透明基板は透明ＺｎＳを含まないため、本発明にいう、単なる「透明基板」から比べて、前記のような光の反射の生じる可能性は一般的には小さいということはできる。しかしながら、該第２の透明基板が、例えば石英ガラス等から構成されていない場合には、該第２の透明基板に入射する光、或いは該第２の透明基板から出射する光が反射するおそれはやはりあるから、該第２の防塵用基板にＡＲコートを備えることには相応の意義がある。
【００３０】
また、本態様にいう「ＡＲコート」とは、例えば、例えばジルコニア（ＺｒＯ２）、シリカ（ＳｉＯ２）等の単層、あるいは複数層からなるものとするとよい。より具体的には、ジルコニア、シリカ、ジルコニア、シリカという４層構造としたり、これに続けて、更にジルコニア、シリカを繰り返して、より多層の構造を有するようにしてもよい。
【００３１】
このように、ＡＲコートは、好適には、相異なる材料が複数層重ね合わされた構造を有するものであるが、該構造において、材料の選択、各層の厚さ、更には層数等を異ならせることにより、種々の特性を有するＡＲコートを製造することができる。
【００３２】
この態様では、前記ＡＲコートは、前記透明基板の一方の面に配置される第１ＡＲコートと、その他面に配置される第２ＡＲコートとを含み、これら第１ＡＲコート及び第２ＡＲコートはそれぞれ異なった構造を有しているようにしてもよい。
【００３３】
このような構成によれば、前記の反射防止効果をより確実に享受することができる。例えば、防塵用基板が、前記一対の基板の一方の基板に貼着される場合であって、光が、防塵用基板及び基板の順に進行する場合を想定すると、まず最初に、該光は、空気層から透明ＺｎＳ（防塵用基板）へと抜ける必要があり、続いて、透明ＺｎＳから石英ガラス等の基板へと抜ける必要があることになる。つまり、防塵用基板に入射する場合と、これから出射する場合とで、空気層、透明ＺｎＳ、石英ガラスそれぞれの屈折率が異なるから、生じ得る光反射の態様が異なってしまうのである。したがって、この場合、防塵用基板の両面に同じ構造のＡＲコートを備えても、あまり有効に作用しないことになる。
【００３４】
しかるに、本態様によれば、前述のような場合において、防塵用基板と基板との間に第１ＡＲコートが備えられ、防塵用基板の基板に対向しない方の面に、第１ＡＲコートの構造とは異なる構造を有する第２ＡＲコートが備えられるのである。したがって、前記のような光反射の態様の相違にもよりよく対応することができ、もって前述した光反射防止効果をより確実に享受することができるのである。
【００３５】
なお、本態様にいう「構造」とは、既に述べたように、ＡＲコートを構成する材料、該ＡＲコートが相異なる材料の複数の層からなる場合には、その各層の厚さ、更には該各層の重ね合わせ数等により規定される。そして、かかる構造が「異なっ」ているというのは、前記の材料、厚さ、更には重ね合わせ数等の少なくとも一点において、第１ＡＲコート及び第２ＡＲコート間に相違が存在するということに他ならない。
【００３６】
本発明の実装ケース入り電気光学装置は、上記課題を解決するために、前述の本発明の電気光学装置（但し、その各種態様を含む。）を実装ケース内に収納する実装ケース入り電気光学装置であって、前記実装ケースは、前記電気光学装置の一面に対向するように配置されるプレートと、該プレート及び前記電気光学装置を覆うように配置されるカバーとを備えている。
【００３７】
本発明の実装ケース入り電気光学装置によれば、電気光学装置が、プレート及びカバーからなる実装ケース内に収納されることにより、例えば、前記プレートに適当な取付部を形成しておくなどすれば、該電気光学装置の投射型表示装置に対する取り付けを好適に実施することができる。ここに「取り付け」とは、より具体的には、前記取付部として、プレートに取付孔を形成するとともに、該取付孔にねじを通し、該ねじを前記投射型表示装置の一部を構成する被取付面に形成された雌ねじ穴に螺合する等の態様を想定することができる。
【００３８】
そして、本発明においては特に、実装ケース内に収納される電気光学装置においては、該電気光学装置内部の熱は、前述した防塵用基板に逃げ得るだけでなく、その先更に、カバー或いはプレートへも逃げ得ることになる。したがって、本発明によれば、電気光学装置内部において蓄熱が生じることを、より確実に防止することができる。
【００３９】
なお、このように、防塵用基板のみならず、実装ケースを構成するカバー及びプレートをも、電気光学装置のヒートシンクとして機能させる場合においては、該機能のより効果的な実現のため、該カバー及び該プレートの少なくとも一方は、好ましくは金属、更に好ましくはその熱伝導率が１５〔Ｗ／ｍ・Ｋ〕程度以上となる金属からなるように構成するとよい。具体的な材料名としては、アルミニウム、マグネシウム、銅、或いはこれらそれぞれの合金等を挙げることができる。
【００４０】
また、電気光学装置に前記偏光素子、或いは前記昇温防止基板が備えられる場合には、典型的には、前記一対の基板及び防塵用基板のみが前記実装ケース内に収容されており、偏光素子及び昇温防止基板は、その外部に設置されている場合が想定される。
【００４１】
本発明の実装ケース入り電気光学装置の一態様では、前記プレート及び前記カバーの少なくとも一方は、前記透明基板と相互に接触している。
【００４２】
この態様によれば、前述した透明ＺｎＳからなる防塵用基板は、実装ケースを構成するプレート及びカバーの少なくとも一方と相互に接触していることから、電気光学装置内部の熱を吸い上げる防塵用基板の熱を、プレート、あるいはカバーに極めて効率的に逃がすことができる。
【００４３】
なお、防塵用基板に前記ＡＲコートが備えられている場合において、防塵用基板と、プレート、あるいはカバーとは、該ＡＲコートを介して接触しており、厳密にいえば、防塵用基板及びプレートあるいはカバー間は相互に接触していないという場合であっても、本発明にいう「相互に接触」の範囲内にある。
【００４４】
本発明の実装ケース入り電気光学装置の他の態様では、前記カバーは、その表面積を増大させる表面積増大手段を備えてなる。
【００４５】
この態様によれば、表面積増大手段によって、カバーの表面積が増大せられていることにより、カバーの放熱能力が高められている。すなわち、実装ケース内に収容された電気光学装置からカバーへと伝達された熱、或いは該電気光学装置からプレートを介してカバーへと伝達された熱は、速やかに外部へと放散されることになる。したがって、本態様によれば、カバーが、電気光学装置に対するヒートシンクとしてより有効に機能することにより、該電気光学装置の冷却をより効果的に行うことができる。
【００４６】
なお、本態様にいう「表面積増大手段」は、例えば、カバーの表面に突出するように形成されたフィン、或いは表面に窪みをつけるように形成されたディンプルを含む。ちなみに、ここでいう「フィン」及び「ディンプル」の相違は、カバーの表面を基準面として突出しているか、或いは凹んでいるかということにある。また、ここでいう「フィン」又は「ディンプル」は、カバー本体を形成するのに併せて又はその後に、例えば切削加工、鍛造加工、プレス加工、射出成形又は鋳造等により形成することが可能である。
【００４７】
本発明の投射型表示装置は、上記課題を解決するために、前述の本発明の電気光学装置、或いは実装ケース入り電気光学装置（但し、その各種態様を含む。）と、光源と、前記光源より発せられた投射光を前記電気光学装置に導く光学系と、前記電気光学装置から出射される投射光を投射する投射光学系とを備えている。
【００４８】
本発明の投射型表示装置によれば、粉塵の投影の問題及び電気光学装置内部における蓄熱の問題について殆ど心配することのない結果、高品質な画像を表示することの可能な投射型表示装置を提供することができる。
【００４９】
とりわけ、本発明におけるような投射型表示装置では、前記投射光学系によって、電気光学装置に入射した光を拡大投射することで比較的大きなサイズの画像を表示することから、粉塵の投影の問題が生じやすい。また、本発明におけるような投射型表示装置では、前記光源として、比較的強力な光源が用いられることが多いことから、電気光学装置内部における蓄熱の問題が生じやすい。このようなことからすると、本発明に係る投射型表示装置は、上述の本発明の電気光学装置によって奏される作用効果を、最大限享受し得る態様の一つということができる。
【００５０】
本発明のこのような作用及び他の利得は次に説明する実施の形態から明らかにされる。
【００５１】
【発明の実施の形態】
以下、本発明の実施の形態を図面に基づいて説明する。
【００５２】
（投射型液晶装置の実施形態）
まず、図１を参照して、本発明による投射型液晶装置の実施形態について、その光学ユニットに組み込まれている光学系を中心に説明する。本実施形態の投射型表示装置は、実装ケース入りの電気光学装置の一例たる液晶ライトバルブが３枚用いられてなる複板式カラープロジェクタとして構築されている。
【００５３】
図１において、本実施形態における複板式カラープロジェクタの一例たる、液晶プロジェクタ１１００は、駆動回路がＴＦＴアレイ基板上に搭載された電気光学装置を含む液晶ライトバルブを３個用意し、夫々ＲＧＢ用のライトバルブ１００Ｒ、１００Ｇ及び１００Ｂとして用いたプロジェクタとして構成されている。液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応するライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、ライトバルブ１００Ｒ、１００Ｇ及び１００Ｂにより夫々変調された３原色に対応する光成分は、ダイクロイックプリズム１１１２により再度合成された後、投射レンズ１１１４を介してスクリーン１１２０にカラー画像として投射される。
【００５４】
本実施形態のライトバルブ１００Ｒ、１００Ｇ及び１００Ｂとしては、例えば、後述の如きＴＦＴをスイッチング素子として用いたアクティブマトリクス駆動方式の液晶装置が使用される。また、当該ライトバルブ１００Ｒ、１００Ｇ及び１００Ｂは、後に詳述するように実装ケース入り電気光学装置として構成されている。
【００５５】
また、この液晶プロジェクタ１１００には、図１に示すように、ライトバルブ１００Ｒ、１００Ｇ及び１００Ｂに冷却風を送るためのシロッコファン１３００が設けられている。このシロッコファン１３００は、その側面に複数のブレード１３０１を備えた略円筒形状の部材を含んでおり、該円筒形状の部材がその軸を中心として回転することで前記ブレード１３０１が風を生じさせるようになっている。なお、このような原理から、シロッコファン１３００で作り出される風は、図１に示されるように、らせん状に渦巻いたものとなる。
【００５６】
このような風は、図１において図示されない風路を通じて各ライトバルブ１００Ｒ、１００Ｇ及び１００Ｂに送給され、各ライトバルブ１００Ｒ、１００Ｇ及び１００Ｂの近傍に設けられた吹き出し口１００ＲＷ、１００ＧＷ及び１００ＢＷから、これらライトバルブ１００Ｒ、１００Ｇ及び１００Ｂに対して送り出されるようになっている。
【００５７】
ちなみに、前述したようなシロッコファン１３００を用いれば、静圧が高くライトバルブ１００Ｒ、１００Ｇ及び１００Ｂ周囲の狭い空間にも風を送りやすいという利点が得られる。
【００５８】
以上説明した構成においては、強力な光源たるランプユニット１１０２からの投射光により各ライトバルブ１００Ｒ、１００Ｇ、１００Ｂで温度が上昇する。この際、過度に温度が上昇してしまうと、各ライトバルブ１００Ｒ、１００Ｇ、１００Ｂを構成する液晶が劣化したり、光源光のむらによる部分的な液晶パネルの加熱によるホットスポットの出現により透過率にムラが生じたりする。また、これら各ライトバルブ１００Ｒ、１００Ｇ及び１００Ｂの表面には、その周囲に漂う粉塵が付着し得るが、これによると、該粉塵の像がスクリーン１１２０上に投影されてしまうという問題も生じる。そこで、本実施形態では特に、各ライトバルブ１００Ｒ、１００Ｇ、１００Ｂは、後述の如き本発明の防塵用基板等を備えるとともに、実装ケースに実装されて、投射型液晶装置１１００のハウジング内に取り付けられている。このため、後述の如く各ライトバルブ１００Ｒ、１００Ｇ、１００Ｂの温度上昇は効率的に抑制されている。
【００５９】
（電気光学装置の実施形態）
次に本発明の電気光学装置に係る実施形態の全体構成について、図２及び図３を参照して説明する。ここでは、電気光学装置の一例である駆動回路内蔵型のＴＦＴアクティブマトリクス駆動方式の液晶装置を例にとる。本実施形態に係る電気光学装置は、上述した液晶プロジェクタ１１００における液晶ライトバルブ１００Ｒ、１００Ｇ、１００Ｂとして使用されるものである。ここに、図２は、ＴＦＴアレイ基板をその上に形成された各構成要素と共に対向基板の側から見た電気光学装置の平面図であり、図３は、図２のＨ−Ｈ’断面図である。
【００６０】
図２及び図３において、本実施形態に係る電気光学装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、画像表示領域１０ａの周囲に位置するシール領域に設けられたシール材５２により相互に接着されている。
【００６１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態の電気光学装置は、プロジェクタのライトバルブ用として小型で拡大表示を行うのに適している。
【００６２】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００６３】
画像表示領域の周辺に広がる領域のうち、シール材５２が配置されたシール領域の外側に位置する領域には、データ線駆動回路１０１及び外部回路接続端子１０２がＴＦＴアレイ基板１０の一辺に沿って設けられている。また、走査線駆動回路１０４は、この一辺に隣接する２辺に沿い、且つ、前記額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、前記額縁遮光膜５３に覆われるようにして複数の配線１０５が設けられている。
【００６４】
また、対向基板２０の４つのコーナー部には、両基板間の上下導通端子として機能する上下導通材１０６が配置されている。他方、ＴＦＴアレイ基板１０にはこれらのコーナーに対向する領域において上下導通端子が設けられている。これらにより、ＴＦＴアレイ基板１０と対向基板２０との間で電気的な導通をとることができる。
【００６５】
図３において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。また、液晶層５０は、例えば一種又は数種類のネマティック液晶を混合した液晶からなり、これら一対の配向膜間で、所定の配向状態をとる。
【００６６】
尚、図２及び図３に示したＴＦＴアレイ基板１０上には、これらのデータ線駆動回路１０１、走査線駆動回路１０４等に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００６７】
このように構成された電気光学装置の場合、その動作時には、図３の上側から強力な投射光が照射される。すると、対向基板２０、液晶層５０、ＴＦＴアレイ基板１０等における光吸収による発熱によって、当該電気光学装置の温度が上昇する。このような温度上昇は、液晶層５０等の劣化を早めると共に、表示画像の品位を劣化させる。また、この電気光学装置の表面にその周囲に漂う粉塵が付着すると、該粉塵の像が画像上に投影されてしまい、その品質を低下せしめるという問題も生じる。
【００６８】
そこで、本実施形態では特に、このような電気光学装置において、以下に説明する各種形態を採用することにより、前述の温度上昇及び粉塵投影の問題を有効に解決する。
【００６９】
（昇温防止作用を有する電気光学装置の第１実施形態）
以下では、昇温防止作用を有する電気光学装置の第１実施形態について、既に参照した図３を参照して説明する。
【００７０】
第１実施形態では、図３に示すように、対向基板２０における液晶層５０に対向しない側（図３中上側）に、防塵用基板４２０が備えられている。また、防塵用基板４１０は、ＴＦＴアレイ基板１０における液晶層５０に対向しない側（図３中下側）にも備えられている。これらの防塵用基板４２０及び４１０の両面には、ＡＲコート５０１、５０２、５０３及び５０４が備えられている。より詳しくは、対向基板２０の側に設けられている防塵用基板４２０については、該防塵用基板４２０の外側面に第１ＡＲコート５０１が、該防塵用基板４２０と対向基板２０との間に第２ＡＲコート５０２がそれぞれ備えられている。同じく、ＴＦＴアレイ基板１０の側に設けられている防塵用基板４１０については、該防塵用基板４１０とＴＦＴアレイ基板１０との間に第３ＡＲコート５０３が、該防塵用基板４１０の外側面に第４ＡＲコート５０４がそれぞれ備えられている。
【００７１】
このうち防塵用基板４１０及び４２０は、それぞれ、透明ＺｎＳからなる。ここで透明ＺｎＳとは、例えばＺｎＳをＣＶＤ法等によって作成した後、これを焼成すること等によって製造することができる。このように、防塵用基板４２０及び４１０は、「透明」なＺｎＳからなるから、図３中上方から下方へ抜けた光が着色させられる等ということが生じない。なお、かかる透明ＺｎＳとしては、具体的には例えば、住友電気工業株式会社製のＣｌｅａｒ−ＺｎＳを利用することができる。
【００７２】
他方、ＡＲコート５０１から５０４は、例えばジルコニア（ＺｒＯ２）、シリカ（ＳｉＯ２）等の単層、あるいは複数層からなる。より具体的には、ジルコニア、シリカ、ジルコニア、シリカという４層構造としたり、これに続けて、更にジルコニア、シリカを繰り返して、より多層の構造を有するようにしてもよい。これにより、例えば、空気層（図３中上方）から対向基板２０内（図３中下方）という異なる屈折率を有する部材間において、無用な反射によるロスを避けることが可能となり、当該部材間にわたる効率的な導光が可能となる。特に、第１実施形態においては、防塵用基板４１０及び４２０が透明ＺｎＳからなり、その屈折率が２．２程度と比較的大きいことから、前記ＡＲコート５０１から５０４が設けられることで、その界面における光反射が未然に防止されることは、画像の明るさ維持等にとって非常に有効である。
【００７３】
ところで、前記の各ＡＲコート５０１から５０４の構造は、それぞれ相異なるようにするのが好ましい。というのも、各ＡＲコート５０１から５０４においては、それぞれ、生じ得る光反射の態様が異なり得るからである。すなわち、ＡＲコート５０１については、空気層から透明ＺｎＳからなる防塵用基板４２０への光の進入に際する反射を、ＡＲコート５０２については、透明ＺｎＳからなる防塵用基板４２０から石英ガラス等からなる対向基板２０への光の進入に際する反射を、それぞれ防止する必要があり、他方、ＡＲコート５０３については、石英ガラス等からなるＴＦＴアレイ基板１０から透明ＺｎＳからなる防塵用基板４１０への光の進入に際する反射を、ＡＲコート５０４については、透明ＺｎＳからなる防塵用基板４１０から空気層への光の進入に際する反射をそれぞれ防止する必要がある、というようである。
【００７４】
したがって、この場合には、ＡＲコート５０１から５０４を構成する前記層構造を構成する各層の厚さを変更したり、該層の積み重ね数を変化させたりする他、材料それ自体を変化させるなどして、各ＡＲコート５０１乃至５０４間の構造に差異をもたせるのが好ましい。このようにすることで、前記のように異なった反射態様に好適に対応することができる。
【００７５】
以上のような構成を有する第１実施形態の電気光学装置では、上述の防塵用基板４２０及び４１０の存在により、次のような作用効果が奏されることになる。まず、防塵用基板４２０及び４１０が設けられていることにより、粉塵の投影を回避することが可能となる。すなわち、図３中上方より入射してくる光は、液晶層５０内、又はＴＦＴアレイ基板１０内或いはその更に下方等において、焦点が結ばれるように集光される。これにより、対向基板２０の図中上面にあたる表面の方が、防塵用基板４２０の同表面に比べてより焦点に近いところに位置するということになる。したがって、従来、対向基板２０の表面に粉塵が付着する場合においては、その像が投影されることによって、画像の品質を損なうおそれがあった。これは、ＴＦＴアレイ基板１０の側についても同様にいえる。
【００７６】
しかるに、第１実施形態では、対向基板２０、或いはＴＦＴアレイ基板１０の表面に粉塵は付着しえず、また第１実施形態においては特に、粉塵が付着するとしても、それは防塵用基板４２０を越えて、更に図中上層に位置するＡＲコート５０１の表面、或いは防塵用基板４１０を越えて、更に図中下層に位置するＡＲコート５０４の表面に付着するに過ぎない。つまり、粉塵は焦点からより遠い位置に付着することになる。
【００７７】
以上により、第１実施形態においては、防塵用基板４２０及び４１０の厚さを主要因として、粉塵の付着位置を焦点位置から遠くにずらすことが可能となるから（すなわち、デフォーカス効果を得ることが可能となるから）、粉塵の投影の問題を有効に解消することが可能となるのである。
【００７８】
また、第１実施形態においては特に、防塵用基板４２０及び４１０が透明ＺｎＳからなることにより、電気光学装置の温度上昇をより効果的に防止することが可能となる。これは、透明ＺｎＳが比較的熱伝導率の大きな材料であることによる。これにより、防塵用基板４２０及び４１０を起点とする熱の吸い上げ作用がより効果的に発揮されることにより、対向基板２０或いはＴＦＴアレイ基板１０、ないしは電気光学装置の内部に蓄積されていく熱を有効に奪っていくことが可能なのである。また、透明ＺｎＳは、一般に赤外線の透過率が大きい材料であるから、該赤外線が防塵用基板４２０及び４１０に吸収されることによって発熱が生じるということは殆ど生じ得ない。これによると、防塵用基板４２０及び４１０が、ヒートシンクとしてより有効に機能することになるから、電気光学装置の冷却をより確実になすことができる。
【００７９】
以上により、第１実施形態においては、より効果的な熱放散効果を得ることができ、したがって、電気光学装置内部における過剰な熱蓄積を未然に防止することが可能となる。また、このように電気光学装置内部に蓄積される熱を効率よく外部に放散することが可能であることから、本実施形態において、シロッコファン１３００につき強力な冷却能力が要求されない。すなわち、従来に比べて風量を低くすることが可能だから、シロッコファン１３００における消費電力を低減することができ、また、該シロッコファン１３００による騒音を低減することもできる。
【００８０】
なお、上記第１実施形態においては、電気光学装置の光入射側及び光出射側の双方について透明ＺｎＳからなる防塵用基板４１０及び４２０が備えられていたが、本発明は、このような形態に限定されない。例えば、図４に示す各種の態様を採用し得る。ここに図４は、図３と同趣旨の図ではあるが、図３とは異なる防塵用基板の各種の設置態様を示すものである。
【００８１】
まず、図４（ａ）に示すように、対向基板２０側にのみ透明ＺｎＳからなる防塵用基板４２０を設ける態様を採用することができる。或いは、図４（ｂ）に示すように、ＴＦＴアレイ基板１０側にのみ透明ＺｎＳからなる防塵用基板４１０を設ける態様を採用することができる。更には図４（ｃ）に示すように、対向基板２０側には透明ＺｎＳからなる防塵用基板４２０を設けるが、ＴＦＴアレイ基板１０側には透明ＺｎＳを含まない防塵用基板４１１を設ける態様も採用し得る。なお、図４（ｃ）において、防塵用基板４１１としては、比較的安価な材料からなるものとすることが可能であるから、当該電気光学装置全体の低コスト化が可能となる。また、図４（ｃ）において、防塵用基板４１１は透明ＺｎＳを含まないため、該防塵用基板４１１に入射する光、或いは該防塵用基板４１１から出射する光が、その界面において反射が生じる可能性は一般的には小さいということはできるが、それでも該防塵用基板４１１の界面で前記反射の生じるおそれはやはりあるから、該防塵用基板４１１についてＡＲコート５０３´及び５０４´（図４（ｃ）参照）を備えることには相応の意義がある。
【００８２】
このように、防塵用基板の設置態様については、各種採用が可能であるが、電気光学装置内部における蓄熱を防止するという観点からすれば、図３に示したように光入射側及び光出射側の双方に防塵用基板４１０及び４２０を設ける形態が最も好ましい。また、光入射側及び光出射側のどちらか一方のみに防塵用基板を設けることを前提とするのであれば、一般的には、該防塵用基板は、光入射側に設ける場合（即ち、図４（ａ））の方が、その逆の場合（即ち、図４（ｂ））よりも好ましい。
【００８３】
（昇温防止作用を有する電気光学装置の第２実施形態）
次に、第２実施形態に係る電気光学装置について、図５を参照して説明する。ここに図５は、前述の電気光学装置が、図１に示す液晶プロジェクタ１１００におけるライトバルブ１００Ｒ、１００Ｇ又は１００Ｂとして装着される場合の、より具体的な一形態を示すものである。なお、第２実施形態では、電気光学装置の概ねの構成は上述の第１実施形態と同様であるので、以下では、重複する点についてはその説明を適宜省略ないし簡略化することとし、第２実施形態において特徴的な部分についてのみ主に説明を加えることとする。
【００８４】
この図５において、図３に示した構成に加えて、図中上方側及び下方側に、偏光板７０１Ｉ及び７０１Ｏが備えられている。ここに偏光板７０１Ｉ及び７０１Ｏは、液晶層５０に入射させる光及び液晶層５０から出射した光を適当な偏光状態とする偏光素子の一種である。これにより、液晶層５０の配向状態を適当に定め、該配向状態と該偏光板７０１Ｉ及び７０１Ｏにおける偏光状態との関係を調整することにより、入射光がほぼ完全に透過する状態から、ほぼ完全に遮蔽される状態に至るまでの調整を連続的に行うことが可能となる。
【００８５】
そして、第２実施形態においては特に、偏光板７０１Ｉ及び７０１Ｏのそれぞれについて、図５に示すように、昇温防止基板４９１及び４９２が備えられている。また、偏光板７０１Ｉ及び昇温防止基板４９１からなる構造物の各界面には、ＡＲコート５１１から５１３が備えられており、偏光板７０１Ｏ及び昇温防止基板４９２からなる構造物の各界面には、ＡＲコート５２１から５２３が備えられている。
【００８６】
このような形態によれば、偏光板７０１Ｉ及び７０１Ｏについて、上述の第１実施形態で述べたと同様の作用効果を享受することが可能となる。すなわち、偏光板７０１及び７０１Ｏもまた、光の照射を受けることにより熱の蓄積が懸念される光学素子であるが、上述したような昇温防止基板４９１及び４９２が貼着されていることにより、該偏光板７０１Ｉ及び７０１Ｏに蓄えられた熱を外部へと有効に放散することが可能となるのである。
【００８７】
ちなみに、図５に示すように、偏光板７０１Ｉ及び７０１Ｏが設けられる形態にあっては、防塵用基板４１０及び４２０が透明ＺｎＳからなることにより、次のような作用効果も得られる。すなわち、電気光学装置に防塵用基板を設けるにしても、該防塵用基板を、仮に水晶、サファイア等から構成する場合においては、これらは単結晶材料であるがため、偏光板７０１Ｉ及び７０１Ｏを通過して偏光した光に関して屈折率異方性がでてくる。しかるに、第２実施形態では、防塵用基板４１０及び４２０に透明ＺｎＳが利用されることにより、通常は多結晶構造となり、偏光をかけた場合にも、前述のような屈折率異方性が顕在化することがない。よって、第２実施形態によれば、より高品質な画像を表示することが可能となるのである。
【００８８】
なお、第２実施形態においては、図５に示す構成に加えて、光学補償素子としてのλ／４板、λ／２板、広視野角等の光学的補償フィルム等（不図示）を設けるとともに、該光学補償素子についても、昇温防止基板が備えられる形態を採用してもよい。これによれば、該光学補償素子に蓄えられる熱の放散も可能となる。
【００８９】
（昇温防止作用を有する電気光学装置の第３実施形態）
次に、第３実施形態に係る電気光学装置について、図６を参照して説明する。ここに図６は、本実施形態に係る実装ケース入り電気光学装置を示す斜視図であり、前述した電気光学装置、実装ケースを構成するカバー及びプレートそれぞれが分解された状態で示された分解斜視図である。なお、第３実施形態では、電気光学装置の概ねの構成は上述の第１実施形態と同様であるので、以下では、重複する点についてはその説明を適宜省略ないし簡略化することとし、第３実施形態において特徴的な部分についてのみ主に説明を加えることとする。
【００９０】
第３実施形態において、前述した防塵用基板４１０及び４２０を備えた電気光学装置５００は、プレート部６１０及びカバー部６２０からなる実装ケース６０１内に収納されている。このうちプレート部６１０には取付孔６１１ｃから６１１ｅが形成されており、該取付孔６１１ｃから６１１ｅを用いることによって、電気光学装置の液晶プロジェクタ１１００に対する取付けを好適になすことができる。より具体的には、取付孔６１１ｃから６１１ｅに図示しないねじを通すとともに、該ねじを前記液晶プロジェクタ１１００の一部を構成する図示しない被取付面に形成された雌ねじ穴に螺合する等の態様を採用することが可能である。
【００９１】
また、プレート部６１０及びカバー部６２０のそれぞれには、窓部６１５及び６２５が形成されている。電気光学装置５００に対する光の入射、あるいは該電気光学装置５００からの光の出射は、この窓部６１５及び６２５を介して可能となる。また、第３実施形態においては、窓部６１５の辺縁部には、防塵用基板４１０の周辺部が接触するように、また、窓部６２５の辺縁部には、防塵用基板４２０の周辺部が接触するようにされている。
【００９２】
さらに、実装ケース６０１には以下に記すような構成及び特徴を備えている。すなわち第一に、実装ケース６０１では、カバー部６２０が、カバー本体部６２３に加えて、スロープを有する冷却風導入部６２２、及び冷却風排出部６２４を備えていることにより、カバー部６２０全体に冷却風（図１に示すシロッコファン１３００から送り出される風等）を満遍なく行き渡らせることが可能となっており、該カバー部６２０の冷却が効果的に行われるようになっている。ちなみに、前記冷却風は、冷却風導入部６２２、カバー本体部６２３及び冷却風排出部６２４の順に流れることが好適であり、そのためには、図１に示す液晶プロジェクタ１１００内において、実装ケース入り電気光学装置は、前記冷却風導入部６２２が図１に示した吹き出し口１００ＲＷ、１００ＧＷ及び１００ＢＷに対向するように配置されるのが好ましい。
【００９３】
また、第二に、前記カバー本体部６２３には千鳥足状のサイドフィン部６２８が備えられ、また、前記冷却風排出部６２４にはリアフィン部６２４Ｆが備えられていることにより、カバー部６２０の放熱能力が高められている。なお、これらサイドフィン部６２８及びリアフィン部６２４Ｆは、本発明にいう「表面積増大手段」の一例に該当する。
【００９４】
第三に、プレート部６１０には、電気光学装置５００の両側面に対向するとともに、カバー部６２０の内側面に接するようにされた折り曲げ部６１３が形成されており、該折り曲げ部６１３を介することによって、電気光学装置５００、プレート部６１０及びカバー部６２０という熱の伝達（とりわけ、後二者間の熱の伝達）が滞りなく行われるようになっている。
【００９５】
なお、図６に示す電気光学装置５００においては、図２に示した外部回路接続端子１０２に接続されたフレキシブルコネクタ５０１が図示されている。
【００９６】
以上のような構成を備えることにより、図６に示す実装ケース入り電気光学装置では、次のような作用効果が奏されることになる。
【００９７】
すなわち、実装ケース６０１内に収納される電気光学装置５００においては、前述した防塵用基板４１０及び４２０が備えられていることにより、該電気光学装置内部の熱は、まず、防塵用基板４１０及び４２０に逃げ得る。そして、第３実施形態においては更に、該防塵用基板４１０及び４２０の熱は、カバー部６２０或いはプレート部６１０へも逃げ得るようにになっているのである。しかも、第３実施形態においては、窓部６１５の辺縁部及び防塵用基板４１０の周辺部間、並びに、窓部６２５の辺縁部及び防塵用基板４２０の周辺部間が相互に接触されているから、防塵用基板４１０及び４２０の熱は、より活発に、プレート部６１０及びカバー部６２０へと逃げ得るようになっている。さらに、カバー部６２０にサイドフィン部６２８及びリアフィン部６２４Ｆが設けられていること、或いはプレート部６１０に折り曲げ部６１３が形成されていて、プレート部６１０及びカバー部６２０間の熱の伝達が滞りなく行われ得るようになっていること等が併せ機能することで、電気光学装置５００からカバー部６２０へと伝達された熱、或いは該電気光学装置５００からプレート部６１０を介してカバー部６２０へと伝達された熱は、速やかに外部へと放散され得るようにもなっているのである。これによれば、カバー部６２０、あるいはプレート部６１０が、電気光学装置５００に対するヒートシンクとして、常に有効に機能することを意味する。
【００９８】
以上の結果、第３実施形態によれば、電気光学装置内部の熱をより効果的に奪うことができるのである。
【００９９】
なお、このように、防塵用基板４１０及び４２０のみならず、実装ケース６０１を構成するカバー部６２０及びプレート部６１０をも、電気光学装置５００のヒートシンクとして機能させる場合においては、該機能のより効果的な実現のため、該カバー部６２０及び該プレート部６１０の少なくとも一方は、好ましくは金属、更に好ましくはその熱伝導率が１５〔Ｗ／ｍ・Ｋ〕程度以上となる金属からなるように構成するとよい。具体的な材料名としては、アルミニウム、マグネシウム、銅、或いはこれらそれぞれの合金等を挙げることができる。
【０１００】
また、電気光学装置に前記偏光板７０１Ｉ及び７０１Ｏ、或いは昇温防止基板４９１及び４９２が備えられる場合には、これらは、典型的には、実装ケース入り電気光学装置の外部に設置されている場合が想定される。すなわち、図５でいえば、図中真中に示されている構成のみが実装ケース６０１内に収納され（図６参照）、それ以外の構成は、該実装ケース６０１外に配置されるのが典型的である。
【０１０１】
本発明は、上述した実施形態に限られるものではなく、請求の範囲及び明細書全体から読み取れる発明の要旨、あるいは思想に反しない範囲で適宜変更可能であり、そのような変更を伴う電気光学装置及び実装ケース入り電気光学装置並びに投射型表示装置もまた、本発明の技術的範囲に含まれるものである。
【図面の簡単な説明】
【図１】本発明の実施形態に係る投射型液晶装置の平面図である。
【図２】本発明の第１実施形態に係る電気光学装置の平面図である。
【図３】図２のＨ−Ｈ′断面図である。
【図４】図３と同趣旨の図であって、図３とは異なる防塵用基板の各種設置態様を示すものである。
【図５】本発明の第２実施形態に係り、図３等に示した電気光学装置が、図１に示す液晶プロジェクタにおけるライトバルブとして装着される場合の、より具体的な一形態を示すものである。
【図６】本発明の第３実施形態に係り、図３等に示した電気光学装置、実装ケースを構成するカバー及びプレートそれぞれが分解された状態で示された分解斜視図である。
【符号の説明】
１０…ＴＦＴアレイ基板、２０…対向基板、５０…液晶層
４１０、４２０…防塵用基板、７０１Ｉ、７０１Ｏ…偏光板、４９１、４９２…昇温防止基板
１１００…液晶プロジェクタ、１００Ｒ、１００Ｇ及び１００Ｂ…ライトバルブ、１１２０…スクリーン
６０１…実装ケース、６１０…プレート部、６２０…カバー部
６２８…サイドフィン部、６２４Ｆ…リアフィン部
【図１】
2004325572.tif 000003
【図２】
2004325572.tif 000004
【図３】
2004325572.tif 000005
【図４】
2004325572.tif 000006
【図５】
2004325572.tif 000007
【図６】
2004325572.tif 000008